(57)【特許請求の範囲】
【請求項１】
ビスと、このビスがねじ込まれるねじ孔とこのねじ孔にねじ込まれた上記ビスの先端部
を受け止めてそのビスのねじ込み過ぎを阻止する受部とを備えた取付け具とによって構成
される結合装置において、
上記取付け具が、帯板状の板金部材の長手方向複数箇所を折り曲げることにより形成さ
れた取付け具本体に、上記板金部材の長手方向の一端側及び他端側の各片部同士の重なり
部とその重なり部に対向する板状部とを具備させてなり、
上記重なり部の内側に配備されている板金部材の一端側の上記片部にその片部を貫通す
る上記ねじ孔が形成され、かつ、上記重なり部の外側に配備されている板金部材の他端側
の上記片部に、上記ビスが挿通されるビス挿通孔が形成されていると共に、上記受部が上
記板状部によって形成されており、
上記取付け具本体は、上記重なり部を形成している板金部材の長手方向の一端側及び他
端側の各片部と、上記受部を形成している上記板状部と、この板状部の長手方向一端部と
上記一端側片部とに折曲げ部を介して連設されてそれらの相互間に亘る一方側の側板部と
、上記板状部の長手方向他端部と上記他端側片部とに折曲げ部を介して連設されてそれら
の相互間に亘る他方側の側板部と、を有して、平面視形状が略矩形環状に形成されており
、
上記取付け具がテレビジョン受像機の背面パネルの内側に取り付けられて、その取付け
具の上記ねじ孔及び上記ビス挿通孔が、上記背面パネルに具備された貫通孔に臨んでいる
と共に、上記貫通孔と上記ビス挿通孔とに挿通されて上記ねじ孔にねじ込まれた上記ビス
が、上記テレビジョン受像機を壁面に固定することに用いられる壁掛け金具を上記背面パ
ネルに固定するためのビスであり、
上記重なり部の内側に配備されている板金部材の一端側の上記片部と、上記重なり部の
外側に配備されている板金部材の他端側の上記片部との間に上記背面パネルが配備されず
に、上記重なり部の外側に配備されている板金部材の他端側の上記片部の外側に上記背面
パネルが配備されている、結合装置。
【請求項２】
ビスと、このビスがねじ込まれるねじ孔とこのねじ孔にねじ込まれた上記ビスの先端部
を受け止めてそのビスのねじ込み過ぎを阻止する受部とを備えた取付け具とによって構成
される結合装置において、
上記取付け具が、帯板状の板金部材の長手方向複数箇所を折り曲げることにより形成さ
れた取付け具本体に、上記板金部材の長手方向の一端側及び他端側の各片部同士の重なり
部とその重なり部に対向する板状部とを具備させてなり、
上記重なり部の内側に配備されている板金部材の一端側の上記片部にその片部を貫通す
る上記ねじ孔が形成され、かつ、上記重なり部の外側に配備されている板金部材の他端側
の上記片部に、上記ビスが挿通されるビス挿通孔が形成されていると共に、上記受部が上
記板状部によって形成されており、
上記取付け具がテレビジョン受像機の背面パネルの内側に取り付けられて、その取付け
具の上記ねじ孔及び上記ビス挿通孔が、上記背面パネルに具備された貫通孔に臨んでいる
と共に、上記貫通孔と上記ビス挿通孔とに挿通されて上記ねじ孔にねじ込まれた上記ビス
が、上記テレビジョン受像機を壁面に固定することに用いられる壁掛け金具を上記背面パ
ネルに固定するためのビスであり、
上記重なり部の内側に配備されている板金部材の一端側の上記片部と、上記重なり部の
外側に配備されている板金部材の他端側の上記片部との間に上記背面パネルが配備されず
に、上記重なり部の外側に配備されている板金部材の他端側の上記片部の外側に上記背面
パネルが配備されている、結合装置。
【請求項３】
上記板金部材の一端側の上記片部における上記ねじ孔の孔径は、上記板金部材の他端側
の上記片部における上記ビス挿通孔の孔径よりも小さく、
上記板金部材の他端側の上記片部における上記ビス挿通孔の孔径は、上記背面パネルに
おける上記貫通孔の孔径よりも小さい、請求項１または２に記載の結合装置。
【発明の詳細な説明】
【技術分野】
【０００１】
本発明は、結合装置、詳しくは、薄型テレビジョン受像機を壁掛け式として壁面に固定するための壁掛け用部品や、オーディオビジュアル機器（ＡＶ機器）などの筐体にアンテナを固定するためのアンテナ固定用部品などに採用することのできるビスと取付け具との組み合せでなる結合装置に関する。
【背景技術】
【０００２】
図１１に従来例としての結合装置の取付け具２０を斜視図で示している。図１２には、図１１の取付け具２０とビス２００との組み合せでなる結合装置を備えた壁掛け式テレビジョン受像機の要部を横断平面図で示してある。
【０００３】
図１１に示した取付け具２０は板金部材でなり、深絞り成形によって形成された有底筒状の凹入部２２を備える平板部２１と、この平板部２１に段付状に連設された取付け片部２３とを備えていて、取付け片部２３に取付けねじ挿通孔２４とその両側の位置決め孔２５，２５とが形成されている。この取付け具２０は、図１２のようにテレビジョン受像機の背面パネル（リアパネル）１１０に内向き突出状に形成された取付け座部１２０に取り付けられる。すなわち、背面パネル１１０に設けられた取付け座部１２０には、図示していない位置決め突起とねじ孔１３０とが備わっていて、取付け具２０の取付け片部２３に形成されている位置決め孔２５（図１１参照）が上記位置決め突起に嵌合され、かつ、取付けねじ挿通孔２４に挿通された取付けねじ１４０がねじ孔１３０にねじ込まれている。この取付け状態では、図１２のように平板部２１が背面パネル１１０の内面に形成された座面１１１に当接し、有底筒状の凹入部２２の内部空間が背面パネル１１０に形成されている貫通孔１１２に臨んでいる。なお、凹入部２２の内面はねじ孔２６として形成されている。
【０００４】
図１２の構成を備えたテレビジョン受像機を壁掛け式として使用するときには、同図のように背面パネル１１０の貫通孔１１２に挿通されて凹入部２２のねじ孔２６にねじ込まれたビス２００が、テレビジョン受像機を壁面に固定することに用いられる壁掛け金具を上記背面パネル１１０に固定するためのビスとして用いられる。言い換えると、テレビジョン受像機を壁面に固定することに用いられるビス２００には、具体的には、フック部を備えた壁掛け用金具（不図示）を背面パネル１１０に締め付けて固定するためのビスが相当している。そして、そのようにビス２００によって背面パネル１１０に固定された壁掛け用金具のフック部を、たとえば室内壁面に固定された相手側係止部材に係合させることによって、テレビジョン受像機が壁面に取り付けられる。
【０００５】
一方、先行例には、薄型表示装置の背面に取り付け部材をねじ止めによって固定し、その取り付け部材に、フック部を有する壁掛け用金具をビス止めすることが示されている（たとえば、特許文献１参照）。
【０００６】
また、従来より、電気機器の箱形端子金具にリード線を追加接続することを可能にした端子金具についての提案がなされている（たとえば、特許文献２参照）。さらに、端子ねじと圧着端子との組み付けの不具合を防止することのできる端子台についての提案もなされている（たとえば、特許文献３参照）。
【先行技術文献】
【特許文献】
【０００７】
【特許文献１】特開２００９−２６５２２３号公報
【特許文献２】特開２００７−１０３２７０号公報
【特許文献３】特開２０１１−３２９５号公報
【発明の概要】
【発明が解決しようとする課題】
【０００８】
図１１又は図１２を参照して説明した従来例としての結合装置にあっては、ビス２００をねじ込むためのねじ孔２６が、絞り成形された有底筒状の凹入部２２に形成されている。
【０００９】
しかしながら、十分なねじ込み代を確保することのできるねじ孔２６を有底筒状の凹入部２２に形成するためには、ねじ孔２６の直径寸法に比べて凹入部２２の軸長を比較的長くすることが必須であり、そのような要求に応え得る軸長の凹入部２２を絞り成形によって形成することには、絞り深さが深いことから材料面や技術面で多くの困難がある。そのため、従来は、絞り箇所が破れたりして取付け具２０の不良率が高くなる結果、材料歩留りが低下したり、絞り成形に適した高価な板金部材を使用する必要に迫られたりするほか、絞り成形箇所に材料を流動させるのに適したサイズの板金部材を用いることが要求されることから、取付け具２０自体が大形化する、といった様々な問題点が指摘されていた。
【００１０】
そこで、取付け具２０の平板部２１にバーリング加工などを行って貫通孔を形成し、その貫通孔の内面をねじ付けすることによってねじ孔を具備させることが考えられる。そのようにすると、絞り加工によって形成した有底筒状の凹入部にねじ孔を形成する必要が無くなるので、上記したような材料面や技術面での困難性が低下し、コスト面でも有利になると云える。
【００１１】
しかしながら、上記のように、ねじ孔が、ただ単にバーリング加工による貫通孔によって形成されているだけであると、ユーザが、規定された寸法のビスよりも長いビスを誤用した場合に、そのビスがねじ孔から突出してしまうという事態が起こり得る。そして、そのようなビスの誤用が行われると、たとえば図１２に仮想線で示したように、ねじ孔を貫通したビス２００の先端部２０１が、取付け具２０の取付け箇所の近傍箇所に位置している配線基板３００やそれに搭載された電気電子部品などの通電部に接触して、予期し得ない故障や事故を発生するおそれがある。
【００１２】
このことを未然に防止するために、図１２のようにねじ孔２６を形成している凹入部２２に底壁部２７を絞り成形により一体に具備させて、その凹入部２２を有底筒状に形成しているのである。そして、この構成であれば、長寸のビス２００が誤用されたとしても、そのビス２００の先端部２０１を底壁部２７が受け止めるので、ビス２００がねじ孔２６から突出して通電部に接触するという事態が防止される。このため、従来は、取付け具２０のねじ孔２６を、材料面や技術面、コスト面などで不利になるにもかかわらず、絞り成形による凹入部２２に形成せざるを得なかったのである。
【００１３】
本発明は、以上の問題点や状況に鑑みてなされたものであり、材料面や技術面、コスト面などで不利になる絞り加工を採用することなく、帯板状の板金部材に、加工の容易な曲げや孔穿け、ねじ切りなどを行うだけで安価に製作することが可能であり、しかも、不良率が低下し、小形化を促進しやすいものでありながら、長寸のビスが誤用されたとしても、ねじ孔から突出したビスが配線基板などの通電部に接触して予期し得ない故障や事故を発生する、というおそれをなくすることのできる結合装置を提供することを目的とする。
【課題を解決するための手段】
【００１４】
本発明の第１の局面に係る結合装置は、ビスと、このビスがねじ込まれるねじ孔とこの
ねじ孔にねじ込まれた上記ビスの先端部を受け止めてそのビスのねじ込み過ぎを阻止する
受部とを備えた取付け具とによって構成される。
【００１５】
そして、上記取付け具が、帯板状の板金部材の長手方向複数箇所を折り曲げることによ
り形成された取付け具本体に、上記板金部材の長手方向の一端側及び他端側の各片部同士
の重なり部とその重なり部に対向する板状部とを具備させてなり、上記重なり部の内側に
配備されている板金部材の一端側の上記片部にその片部を貫通する上記ねじ孔が形成され
、かつ、上記重なり部の外側に配備されている板金部材の他端側の上記片部に、上記ビス
が挿通されるビス挿通孔が形成されていると共に、上記受部が上記板状部によって形成さ
れている、というものである。また、上記取付け具本体は、上記重なり部を形成している
板金部材の長手方向の一端側及び他端側の各片部と、上記受部を形成している上記板状部
と、この板状部の長手方向一端部と上記一端側片部とに折曲げ部を介して連設されてそれ
らの相互間に亘る一方側の側板部と、上記板状部の長手方向他端部と上記他端側片部とに
折曲げ部を介して連設されてそれらの相互間に亘る他方側の側板部と、を有して、平面視
形状が略矩形環状に形成されている。また、上記取付け具がテレビジョン受像機の背面パ
ネルの内側に取り付けられて、その取付け具の上記ねじ孔及び上記ビス挿通孔が、上記背
面パネルに具備された貫通孔に臨んでいると共に、上記貫通孔と上記ビス挿通孔とに挿通
されて上記ねじ孔にねじ込まれた上記ビスが、上記テレビジョン受像機を壁面に固定する
ことに用いられる壁掛け金具を上記背面パネルに固定するためのビスである。また、上記
重なり部の内側に配備されている板金部材の一端側の上記片部と、上記重なり部の外側に
配備されている板金部材の他端側の上記片部との間に上記背面パネルが配備されずに、上
記重なり部の外側に配備されている板金部材の他端側の上記片部の外側に上記背面パネル
が配備されている。
【００１６】
この構成であれば、取付け具本体が、帯板状の板金部材の長手方向複数箇所を折り曲げることにより形成されていて、ねじ孔やビス挿通孔が、重なり部の内側や外側に配備されている板金部材の一端側や他端側の片部に形成されているという構成を有しているので、ねじ孔を形成するために絞り成形を行う必要がない。それにもかかわらず、ねじ孔にねじ込まれたビスの先端部を受け止めてそのビスのねじ込み過ぎを阻止する受部が取付け具本体の板状部によって形成されているので、ビスの誤用によるねじ込み過ぎによって、そのビスの先端部が配線基板などの通電部に接触する余地もない。
【００１７】
また、取付け具の製作に絞り成形工程が含まれず、加工の容易な曲げや孔穿け、ねじ切
りなどの工程が含まれるだけであるので安価に製作することが可能になり、併せて、不良
率の低下が促進され、さらに、絞り成形を行う場合のような材料の流動を考慮する必要も
ないので小形化を促進しやすくなる。また、誤用されたビスの先端部が、板状部によって
形成されている受部に当接してその受部を強く押し付ける、という状況が発生して、重な
り部の一端側及び他端側の各片部にそれらを開き方向に変形させる負荷が加わったとして
も、他端側の片部のビス挿通孔に挿通されたビスが一端側の片部のねじ孔にねじ込まれて
いるために、重なり部の一端側及び他端側の各片部の開き変形がビスによって阻止される
という作用が奏される。また、テレビジョン受像機を壁掛け式として使用することができ
るようになる。また、テレビジョン受像機の表示モジュール（液晶表示モジュールなど）
の制御用配線基板が上記取付け具の取付け箇所の近傍に配備されていて、しかも、壁掛け
金具を上記背面パネルに固定するためのビスに長尺のビスが誤用されたとしても、そのビ
スの先端が上記制御用配線基板やその基板に搭載された電気電子部品などの通電部に接触
して予期し得ない故障や事故を発生する、というおそれがなくなる。さらに、誤用された
長尺のビスが、取付け具の重なり部の一端側及び他端側の各片部の開き変形を阻止する作
用を発揮するので、壁面に設置されたテレビジョン受像機が取付け具の変形などによって
傾いたりすることもなくなる。
【００１８】
また、本発明の第２の局面に係る結合装置は、ビスと、このビスがねじ込まれるねじ孔
とこのねじ孔にねじ込まれた上記ビスの先端部を受け止めてそのビスのねじ込み過ぎを阻
止する受部とを備えた取付け具とによって構成される結合装置において、上記取付け具が
、帯板状の板金部材の長手方向複数箇所を折り曲げることにより形成された取付け具本体
に、上記板金部材の長手方向の一端側及び他端側の各片部同士の重なり部とその重なり部
に対向する板状部とを具備させてなり、上記重なり部の内側に配備されている板金部材の
一端側の上記片部にその片部を貫通する上記ねじ孔が形成され、かつ、上記重なり部の外
側に配備されている板金部材の他端側の上記片部に、上記ビスが挿通されるビス挿通孔が
形成されていると共に、上記受部が上記板状部によって形成されており、上記取付け具が
テレビジョン受像機の背面パネルの内側に取り付けられて、その取付け具の上記ねじ孔及
び上記ビス挿通孔が、上記背面パネルに具備された貫通孔に臨んでいると共に、上記貫通
孔と上記ビス挿通孔とに挿通されて上記ねじ孔にねじ込まれた上記ビスが、上記テレビジ
ョン受像機を壁面に固定することに用いられる壁掛け金具を上記背面パネルに固定するた
めのビスであり、上記重なり部の内側に配備されている板金部材の一端側の上記片部と、
上記重なり部の外側に配備されている板金部材の他端側の上記片部との間に上記背面パネ
ルが配備されずに、上記重なり部の外側に配備されている板金部材の他端側の上記片部の
外側に上記背面パネルが配備されている。
【００１９】
上記第１の局面または上記第２の局面に係る結合装置において、好ましくは、上記板金
部材の一端側の上記片部における上記ねじ孔の孔径は、上記板金部材の他端側の上記片部
における上記ビス挿通孔の孔径よりも小さく、上記板金部材の他端側の上記片部における
上記ビス挿通孔の孔径は、上記背面パネルにおける上記貫通孔の孔径よりも小さい。
【００２０】
本発明に係る結合装置は、上記したテレビジョン受像機を壁掛け式として使用する場合のほか、他の用途にも使用することができる。たとえば、ポータブルタイプのテレビジョン受像機やフォトフレーム、スピーカなどを壁掛け式として使用する場合にも同様に適用することができる。さらに、ＡＶ機器などの筐体にアンテナを固定するためのアンテナ固定用部品に採用することも可能である。
【発明の効果】
【００２１】
以上のように、本発明に係る結合装置は、ビスと、このビスがねじ込まれるねじ孔とビスのねじ込み過ぎを阻止する受部とを備えた取付け具とによって構成されていて、取付け具を、帯板状の板金部材に対して曲げ、孔穿け、ねじ切りなどの加工を行うだけで製作することができるため、絞り成形加工などを行って製作されるものに比べて製作が容易であり、安価に製作することが可能になるだけでなく、製品不良率を低下や小形化を促進しやすくなるという効果が奏される。また、ビスの誤用によるねじ込み過ぎによって、そのビスの先端部が配線基板などの通電部に接触して故障や事故を発生する余地がなくなる。
【００２２】
上記の効果は、本発明に係る結合装置を、テレビジョン受像機を壁掛け式として使用することに採用した場合にもそのまま奏される。
【図面の簡単な説明】
【００２３】
【図１】本発明に係る結合装置を適用可能な薄型テレビジョン受像機を背面側から見て示した概略斜視図である。
【図２】同テレビジョン受像機の概略側面図である。
【図３】取付け具の概略斜視図である。
【図４】取付け具の背面図である。
【図５】取付け具の平面図である。
【図６】取付け具とビスとを組み合わせた状態を示した一部破断平面図である。
【図７】背面パネルの内側を示した取付け構造の分解斜視図である。
【図８】キャップ体の内部の構成を示した正面図である。
【図９】図８のＩＸ−ＩＸ線に沿う部分の断面図である。
【図１０】取付け具の取付け構造を示した横断平面図である。
【図１１】従来例としての結合装置の取付け具の斜視図である。
【図１２】図１１の取付け具とビスとの組み合せでなる結合装置を備えた壁掛け式テレビジョン受像機の要部の横断平面図である。
【発明を実施するための形態】
【００２４】
図１は本発明に係る結合装置を適用可能な薄型テレビジョン受像機を背面側から見て示した概略斜視図、図２は同テレビジョン受像機の概略側面図である。
【００２５】
図１の薄型テレビジョン受像機は、液晶表示モジュール（不図示）を背方から覆う背面パネル（リアパネル）１１０を備えていて、その背面パネル１１０の４箇所に貫通孔１１２…が形成されている。そして、図２のように、当該結合装置の取付け具３０が、背面パネル１１０の内側の４箇所に取り付けられていて、それぞれの取付け具３０が上記貫通孔１１２…に各別に対向している。この薄型テレビジョン受像機を壁掛け式として使用するときには、背面パネル１１０の外面に重ね合わされた壁掛け金具（不図示）が、上記貫通孔１１２に挿通されて取付け具３０のねじ孔（不図示）にねじ込まれたビス（図１及び図２では不図示）を用いて背面パネル１１０に固定される。そして、その壁掛け金具に備わっているフック部を、たとえば室内壁面に固定した相手側係止部材に係合させることによって、その薄型テレビジョン受像機が壁面に取り付けられる。
【００２６】
図３は取付け具３０の概略斜視図、図４は取付け具３０の背面図、図５は取付け具３０の平面図である。
【００２７】
図３〜図５のように、取付け具３０は、厚手帯板状の板金部材の長手方向複数箇所（図例では４箇所）を折り曲げることにより形成された平面視矩形環状の取付け具本体３１を有する。取付け具本体３１は、上記板金部材の長手方向一端側の片部３２と長手方向他端側の片部３３とが重なり合った重なり部３４を有し、その重なり部３４では、一端側の片部３２が内側に配備され、他端側の片部３３が外側に配備されている。そして、一端側の片部（以下「内側片部」という）３２の中央部にその内側片部３２を貫通するねじ孔３５が形成されているのに対し、他端側の片部（以下「外側片部」という）３３の中央部に、上記ねじ孔３５と同心で、かつ、そのねじ孔３５よりもやゝ径大なビス挿通孔３６が貫通状態で形成されている。
【００２８】
取付け具本体３１には、上記重なり部３４に対向する略矩形の板状部３７が備わっている。この板状部３７は、上記重なり部３４のビス挿通孔３６に挿通されてそのねじ孔３５にねじ込まれたビス（不図示）が、ねじ孔３５を挿通して一定長さを越えて突出した場合に、そのビスの先端部を受け止めてビスのねじ込み過ぎを阻止する受部３８としての作用を発揮する。なお、図５によって判るように、この実施形態の取付け具３０では、内側片部３２に形成したねじ孔３５の軸長を延長するための対策として、内側片部３２にバーリング加工による突出部３９を形成し、その突出部３９によって形成される孔部をねじ孔３５に含ませてある。
【００２９】
図５に示したように、取付け具本体３１には、上記した内側片部３２及び外側片部３３と、受部３８を形成している板状部３７の他に、板状部３７の長手方向一端部と内側片部３２とに折曲げ部４１，４２を介して連設されてそれらの相互間に亘る一方側の側板部４３と、板状部３７の長手方向他端部と外側片部３３とに折曲げ部４４，４５を介して連設されてそれらの相互間に亘る他方側の側板部４６とが備わっている。
【００３０】
取付け具３０に上記の構成を採用しておくと、その取付け具３０の製作工程には、帯板状の板金部材に曲げ、孔穿け、ねじ切りなどの工程が含まれるだけになり、図１１に示した凹入部２２を形成するための絞り成形工程を行う必要がなくなる。そのため、取付け具３０を容易に製作することが可能になるだけでなく、材料面や技術面、コスト面などで図１１に示した取付け具２０よりも有利になる。さらに、不良率も低下し、小形化も促進しやすくなるという利点がある。
【００３１】
図６は結合装置を形成している取付け具３０とビス２００とを組み合わせた状態を示した一部破断平面図である。同図のように、ビス２００は、取付け具３０の重なり部３４に備わっているビス挿通孔３６に挿通されてねじ孔３５にねじ込まれる。このようにねじ孔３５にねじ込まれるビス２００が適正な軸長を有している場合には、ねじ込み過ぎによってビス２００の先端部２０１が受部に突き当たるという事態の生じることはない。しかし、同図のように、軸長の長いビス２００が誤用されてねじ孔３５にねじ込まれると、ビス２００のねじ込み過ぎにより、ビス２００がねじ孔３５から長く突出してしまってその先端部２０１が受部３８に突き当たるという事態を生じる。しかしながら、このような事態が生じた場合でも、受部３８がビス２００の先端部２０１を受け止めてそのねじ込み過ぎを阻止するので、ビス２００の先端部２０１が受部３８を越えて突出するという事態は起こり得ない。したがって、受部３８を越えて突出したビス２００の先端部２０１が、取付け具３０の外側で受部３８に対峙して配置される何らかの物体、たとえば配線基板や電気電子部品、その他の機械的部品などに接触して故障や事故を引き起こすという懸念はない。
【００３２】
また、図６のように、軸長の長いビス２００が誤用されてねじ孔３５にねじ込まれ、その先端部２０１が受部３８に突き当たることによって、その受部３８が矢印Ｙのように押し付けられるような状況が生じたときには、取付け具３０の重なり部３４で、内側片部３２と外側片部３３とが矢印Ｘ１，Ｘ２のように外側に開き変形する負荷を受けることがある。しかしながら、ビス２００が重なり部３４において、内側片部３２のねじ孔３２と外側片部３３のビス挿通孔３６とを貫通していることにより、上記負荷による内側片部３２と外側片部３３との開き変形がビス２００によって阻止される。したがって、取付け具３０が変形してしまうという事態も起こり得ない。
【００３３】
次に、図１又は図２に示した薄型テレビジョン受像機に対する上記した取付け具３０の取付け構造を説明する。
【００３４】
図７は背面パネル１１０の内側を示した取付け構造の分解斜視図である。背面パネル１１０の内側に取付け具３０を取り付けるために、次に説明する固定手段５０が採用されている。この固定手段５０には、図７に示されている取付け具収容枠部６０と、電気絶縁性の樹脂成形体でなるキャップ体７０と、係合手段８０と、弾発付勢手段（不図示）と、が備わっている。
【００３５】
図７のように、取付け具収容枠部６０は、背面パネル１１０の貫通孔１１２を取り囲む位置で、その背面パネル１１０から背方に向けて突設された矩形環状の枠体でなり、背面パネル１１０と共に樹脂で一体成形されている。
【００３６】
図８はキャップ体７０の内部の構成を示した正面図、図９は図８のＩＸ−ＩＸ線に沿う部分の断面図、図１０は取付け具３０の取付け構造を示した横断平面図である。
【００３７】
図１０のように、取付け具３０は取付け具収容枠部６０に差し込まれて収容されていて、その収容状態では、取付け具３０が、取付け具収容枠部６０により互いに直交する２軸方向で挟まれて、背面パネル１１０の平坦な内面に沿う方向で位置決めされている。この実施形態では、取付け具収容枠部６０による取付け具３０の位置決めをより確実に行わせるために、取付け具収容枠部６０の相対向する一対の平坦な内面にそれぞれリブ６１，６１を具備させ、それらのリブ６１，６１が、取付け具３０の一方側の側板部４３と他方側の側板部４６とに当接するようにしてある。
【００３８】
図８又は図９のように、キャップ体７０は、矩形環状の周壁７１とその周壁の一端部に設けられた頂壁７２とを備えている。図１０のように、キャップ体７０は、取付け具収容枠部６０の外側に、それほど大きながたつきを生じない状態で嵌合される。こうしてキャップ体７０を取付け具収容枠部６０の外側に嵌合させると、取付け具収容枠部６０に収容されている取付け具３０がキャップ体７０によって覆われる。
【００３９】
係合手段８０は、キャップ体７０を背面パネル１１０に結合することに用いられる。図
７、図８又は図９に示したように、図例の係合手段８０は、キャップ体７０の周壁７１の
側面に、互いに反対向きに設けられた一対の係合爪８１，８１と、取付け具収容枠部６０
を挟む両側で、背面パネル１１０から一体に突出された一対のフック体８２，８２とを備
えていて、フック体８２のそれぞれに、上記係合爪８１を係止する爪部８３が備わってい
る。そして、上記したように取付け具収容枠部６０にキャップ体６０を嵌合させると、そ
の嵌合動作に伴って、係合爪８１が、フック体８２を弾性変形させながら爪部８３を乗り
越えた後、図１０のようにその爪部８３に係合する。したがって、キャップ体６０は、こ
の係合手段８０の作用により図１０のように背面パネル１１０に固定される。
【００４０】
次に、上記弾発付勢手段を説明する。この弾発付勢手段は、キャップ体６０と取付け具３０との相互間に介在されて、取付け具３０を弾発付勢して背面パネル１１０に具備された受面１１３（図１０参照）に弾圧させる作用を担っている。
【００４１】
図１０には弾発付勢手段を符号９０で示してある。図例の実施形態において、弾発付勢手段９０は、取付け具３０に設けられて、背面パネル１１０に近付くほど相互間隔が拡がるように傾斜した一対の傾斜面９１，９１と、キャップ体６０に一体に成形されて一対の上記傾斜面９１，９１に各別に弾接する一対の突片状の樹脂ばね部９２，９２とによって形成されている。この実施形態では、取付け具３０の板状部３７の長手方向両端部の折曲げ部４１，４４の外面を形成している円弧状の一対の湾曲面（図５参照）を、上記傾斜面９１，９１として利用している。また、図８又は図９に示したように、キャップ体６０には一対の樹脂ばね部９２，９２が２組に亘って設けられている。このように、取付け具３０側の一対の傾斜面９１，９１に、キャップ体６０側の２組の一対の樹脂ばね部９２，９２が弾接して、樹脂ばね部９２が傾斜面９１に押し付けられて外向きに変形すると、その樹脂ばね部９２の復帰力によって傾斜面９１が図１０の矢印ａのように内向きに押圧されるようになり、その結果、取付け具３０を同図矢印ｂのように背面パネル１１０の受面１１３に近付く方向に押圧する力が発生する。その結果、取付け具３０が背面パネル１１０の受面１１３に常時弾圧された状態になる。
【００４２】
図１０に示した取付け構造では、取付け具３０の取付箇所の近傍箇所に、同図のように液晶表示モジュールの制御用配線基板３００が配備されていることになる。しかしながら、背面パネル１１０の貫通孔１１２及び取付け具３０の重なり部３４に備わっているビス挿通孔３６に挿通されてねじ孔３５にねじ込まれたビス２００（図６参照）のねじ込み代は、ビス２００の先端部２０１が受部３８に突き当たることによって規制されるので、たとえ長寸のビス２００が誤用されてねじ込まれたとしても、そのビス２００の先端部２０１が配線基板３００やそれに搭載されている電気電子部品に接触するという事態が起こり得ない。なお、ビス２００が適正な軸長を有している場合には、ねじ込み過ぎによってビス２００の先端部が受部３８に突き当たることはない。
【００４３】
また、図６を参照して説明したように、誤用されたビス２００の先端部が受部３８に突き当たっても、取付け具３０が変形してしまうという事態が起こり得ない。
【００４４】
さらに、図１０に示した取付け具３０の取付け構造によると、取付け具３０が、取付け具収容枠部６０により互いに直交する２軸方向で挟まれて、背面パネル１１０の平坦な内面に沿う方向で位置決めされ、しかも、弾発付勢手段９０の作用によって、背面パネル１１０の受面１１３に常時弾圧された状態になる。そのため、取付け具３０が、テレビジョン受像機のスピーカの音圧などに起因する振動の影響を受けてびびり音を発生するといった事態が起こりにくくなる。また、金属製の取付け具３０が電気絶縁性の樹脂成形体でなるキャップ体６０によって覆われているので、背面パネル１１０の貫通孔１１２から飛び込んだ静電気が取付け具３０に帯電したとしても、その静電気がキャップ体６０によって遮蔽されているために、配線基板３００の制御回路がその静電気の影響を受けて誤作動を起こすという懸念もなくなる。
【００４５】
上記では取付け具３０の取付け構造として図１０に示したものを説明したけれども、取付け具３０は他の構造、たとえばビス止めなどの手段を用いて背面パネル１１０に取り付ける構成を採用することも可能である。
【符号の説明】
【００４６】
３０  取付け具
３１  取付け具本体
３２  一端側の片部（内側片部）
３３  他端側の片部（外側片部）
３４  重なり部
３５  ねじ孔
３６  ビス挿通孔
３７  板状部
３８  受部
４１，４２，４４，４５  折曲げ部
４３，４６  側板部
１１０  背面パネル
１１２  貫通孔
２００  ビス
２０１  ビスの先端部
【図１】
0005234145.tif 000002
【図２】
0005234145.tif 000003
【図３】
0005234145.tif 000004
【図４】
0005234145.tif 000005
【図５】
0005234145.tif 000006
【図６】
0005234145.tif 000007
【図７】
0005234145.tif 000008
【図８】
0005234145.tif 000009
【図９】
0005234145.tif 000010
【図１０】
0005234145.tif 000011
【図１１】
0005234145.tif 000012
【図１２】
0005234145.tif 000013